(57)【要約】【課題】インクジェット記録ヘッドのインク流路内に、インクジェットインクを初期インク充填動作で印字不良が確実に発生しないように且つインク吐出に影響がでない状態を確保しつつ充填し、しかも初期インク充填時にインク流路内にインクを完全充填するために流すインクを少量化できるようにする。【解決手段】インク室内のインクジェットインクをノズルから吐出させるインクジェット記録ヘッドにおいて、インクジェットインクがインクジェット記録ヘッドのインク流路内に初期充填されるまでの間、そのインク流路内に、水および１，２−ヘキサンジオールを含有してなるインクジェット記録ヘッド用充填液を充填しておく。【選択図】    図１
2004243543.tif 000002
【特許請求の範囲】
【請求項１】
インク室内のインクジェットインクをノズルから吐出させるインクジェット記録ヘッドにおいて、インクジェットインクがインクジェット記録ヘッドのインク流路内に初期充填されるまでの間、そのインク流路内に、水および１，２−ヘキサンジオールを含有してなるインクジェット記録ヘッド用充填液が充填されていることを特徴とするインクジェット記録ヘッド。
【請求項２】
インクジェット記録ヘッド用充填液中の１，２−ヘキサンジオールの含有量が、３〜３０質量％である請求項１記載のインクジェット記録ヘッド。
【請求項３】
インクジェット記録ヘッド用充填液が、更にアセチレンアルコールを含有している請求項１又は２記載のインクジェット記録ヘッド。
【請求項４】
インクジェット記録ヘッド用充填液中のアセチレンアルコールの含有量が、０．０５〜５質量％である請求項３記載のインクジェット記録ヘッド。
【請求項５】
インクジェット記録ヘッド用充填液が、更に多価アルコールを含有している請求項１〜４のいずれかに記載のインクジェット記録ヘッド。
【請求項６】
インクジェット記録ヘッド用充填液中の多価アルコールの含有量が、２０〜６０質量％である請求項５記載のインクジェット記録ヘッド。
【請求項７】
請求項１〜６のいずれかに記載のインクジェット記録ヘッドを備えていることを特徴とするインクジェット記録装置。
【請求項８】
インク室内のインクジェットインクをノズルから吐出させるインクジェット記録ヘッドのインク流路内に充填するためのインクジェット記録ヘッド用充填液であって、水および１，２−ヘキサンジオールを含有してなることを特徴とするインクジェット記録ヘッド用充填液。
【請求項９】
１，２−ヘキサンジオールの含有量が、３〜３０質量％である請求項８記載のインクジェット記録ヘッド用充填液。
【請求項１０】
更にアセチレンアルコールを含有している請求項８又は９記載のインクジェット記録ヘッド用充填液。
【請求項１１】
アセチレンアルコールの含有量が、０．０５〜５質量％である請求項１０記載のインクジェット記録ヘッド用充填液。
【請求項１２】
更に多価アルコールを含有している請求項８〜１１のいずれかに記載のインクジェット記録ヘッド用充填液。
【請求項１３】
多価アルコールの含有量が、２０〜６０質量％である請求項１２記載のインクジェット記録ヘッド用充填液。
【発明の詳細な説明】
【０００１】
【発明の属する技術分野】
本発明は、インクジェット記録ヘッドのインク流路に、インクを初期充填するまでの前に充填するためのインクジェット記録ヘッド用充填液、それが充填されたインクジェット記録ヘッド及びその記録ヘッドを備えたインクジェット記録装置に関する。
【０００２】
【従来の技術】
従来、新品のインクジェット記録ヘッドあるいはそれを備えたインクジェット記録装置の輸送時あるいは保管時には、インクジェット記録ヘッドのインク流路内にインクを充填した状態にしておくか、界面活性剤を添加してある液体をインク流路内に充填した状態にするか、もしくはインク流路内に何も充填しない空の状態にしておくかが一般的であった。しかし、インク流路内にインクを充填した場合では、例えば輸送中あるいは保管中の温度、湿度などの環境変化によってノズル部分にてインクが固化し、ノズルの目詰まりを起こすという問題があり、また、インク流路内に何も充填しない空の状態では、記録ヘッド内へのインク初期充填時にすみやかにインク充填が行われず、インクが行き渡らず、インクを吐出しないノズルが発生し、印字不良を起こすという問題があった。
【０００３】
そこで、印字に用いるインクが初期充填されるまでの間、水と一価アルコール及び／又は多価アルコールと添加剤としてダイレクトブラック１５４とを含有する混合液を、インクジェット記録ヘッドのインク流路に充填することが提案されている（特許文献１）。また、水と、蒸気圧が２０℃で０．０５ｍｍＨｇ以下の水溶性有機溶剤２０〜８０ｗｔ％と、アセチレンジオール化合物とを含有するインクジェット記録ヘッド用充填液をインク流路に充填することも提案されている（特許文献２）。
【０００４】
【特許文献１】特許第２６７１３９０号明細書
【特許文献２】特許第３３１７０６７号明細書
【０００５】
【発明が解決しようとする課題】
しかしながら、特許文献１及び２で提案された技術では、インクジェット記録ヘッド流路材料とインクとの濡れ性の問題から、インク初期充填時に、インク流路中に速やかにインクを充填することが困難であり、安定したインクの吐出が得られにくく、印字不良が発生し易いという問題があった。このような印字不良を抑制するためにはインク流路内にインクジェットインクを完全充填する必要があり、そのためには、初期インク充填動作を何回も繰り返せざるを得ず、結果的に初期インク充填動作に要するインク量が著しく増大し、実際の印字時に使用するインク量が減少してしまうという問題が生ずる。
【０００６】
また、インクジェット記録方式の中に、熱エネルギーを利用してインク液滴を吐出させる方式があるが、その場合に使用するインクジェット記録ヘッドにおける問題点として、コゲーションと呼ばれる現象がある。この現象は、インク中に含有している染料や不純物が熱エネルギーによって、ヒーター表面に付着して、吐出不良を引き起こす現象であるが、このゴゲーションの問題の解決するために様々な手段が提案されているが、インクジェット記録ヘッド用充填液に対しても、その問題の解決の一助となることが求められている。
【０００７】
本発明は、前記課題を解決するためのものであり、その目的は、特に新品のインクジェット記録ヘッドやそれを備えたインクジェット記録装置の輸送後あるいは保管後に、インクジェット記録ヘッドのインク流路内に、インクジェットインクを初期インク充填動作で印字不良が確実に発生しないように且つインクの吐出に影響が生じない状態を確保しつつ充填し、しかも初期インク充填時にインク流路内にインクを完全充填するために流すインクを少量化できるようにすることを第１の目的とする。また、第１の目的の達成を前提として、熱エネルギーを用いてインク液滴を吐出させるインクジェット記録ヘッドにおいて、コゲーションの発生による吐出寿命の短縮化を抑制できるようにすることを第２の目的とする。
【０００８】
【課題を解決するための手段】
本発明者は、インクジェット記録ヘッドのインク流路に充填するための充填液に配合すべき溶剤を選択するにあたり、インクジェット記録ヘッドのインク流路部材に対するインクジェットインクの濡れ性を向上させる溶剤について検討した。その検討の中で、濡れ性を向上させるために一般的に使用される溶剤であるエタノール、イソプロピルアルコールなどの脂肪族一価アルコール類、界面活性剤あるいは表面張力の低いエーテル系溶剤の使用が検討された。しかし、脂肪族一価アルコールの場合、表面張力が低いので濡れ性を向上させる反面、非常に揮発性が高いため長期間の保存には適しておらず、また、界面活性剤の場合も、濡れを向上させることができる材料であるが、種類によっては、非常に起泡性が高いため、ヘッド流路内への充填時やインク流路外への排出時に起泡が生じ、逆に充填性を損なう場合があった。また、表面張力が低いエーテル系溶剤の場合も、インク流路内の濡れ性を向上させることが可能であるが、所望のレベルにまで濡れ性を向上させるためには、多量のエーテル系溶剤を使用する必要があり、そのため、インク流路内やノズル表面にエーテル系溶剤が残存し、それがインクの吐出精度に影響を及ぼすという問題があった。
【０００９】
本発明者は、更に種々の溶剤について検討したところ、予想外にも、脂肪族二価アルコールの一種である１，２−ヘキサンジオールを使用することにより、上述の第１の目的を達成できることを見出し、本発明を完成させるに至った。また、更に、アセチレンアルコールを含有させることにより第２の目的を達成できることを見出し、本発明を完成させた。
【００１０】
即ち、第１の目的を達成する本発明は、インク室内のインクジェットインクをノズルから吐出させるインクジェット記録ヘッドであって、インクジェットインクがインクジェット記録ヘッドのインク流路内に初期充填されるまでの間、そのインク流路内に、水および１，２−ヘキサンジオールを含有してなるインクジェットプリンタ記録ヘッド用充填液が充填されていることを特徴とするインクジェット記録ヘッド、そのインクジェット記録ヘッドを備えたインクジェット記録装置、及び、当該インクジェットプリンタ記録ヘッド用充填液を提供する。
【００１１】
なお、第２の目的を達成する本発明は、上述のインクジェット記録ヘッド、インクジェット記録装置、及びインクジェット記録ヘッド用充填液において、水及び１，２−ヘキサンジオールに加えてアセチレンアルコールを使用する発明である。
【００１２】
【発明の実施の形態】
以下、本発明を詳細に説明する。
【００１３】
図１は、インク室内のインクジェットインクをノズルから吐出させる、サーマル方式のインクジェット記録ヘッド１の一例を示す斜視図である。このインクジェット記録ヘッド１のヘッドフレーム２には、中央にスリット状のインク供給孔２ａが形成されており、ヘッドフレーム２の一方の面には、Ｓｉ基板で構成された複数個のヘッドチップ３が貼りつけられている。ヘッドチップ３は、ヘッドフレーム２上のインク供給孔２ａの両側に配列されている。そして、図２に示すように、ヘッドチップ３上のインク供給孔２ａ側には、複数個の発熱素子３ａが一列に配列され、反対側には、発熱素子３ａに対応した接続端子３ｂが一列に配列されている。
【００１４】
また、ヘッドチップ３上には、図３に示すように、複数個のインク室４ａとインク流路４ｂを形成するためのインク室部材４を介して、複数個のノズル５ａを有するノズルプレート５が配設されている。インク室部材４は、いわゆるドライフィルムフォトレジストなどの感光性樹脂により、各インク室４ａがヘッドチップ３に配列された各発熱素子３ａに対応し、かつ各インク流路４ｂが各インク室４ａからヘッドチップ３の端部まで延びるように形成されている。
【００１５】
ノズルプレート５は、ニッケルの電鋳等により作製され、インクによる腐食を防ぐため、通常は金あるいはパラジウムなどの耐蝕メッキがされており、インク供給孔２ａを塞ぎ且つ各ノズル５ａが各発熱素子３ａに一対一で対応するように形成されており、従って、各インク室４ａは、インク室部材４に形成されたインク流路４ｂおよびノズルプレート５に形成されたノズル５ａに連通している。
【００１６】
また、ヘッドフレーム２の他方の面には、フィルタ６を介してインクタンク７が貼り付けられている。フィルタ６は、インク供給孔２ａを覆うように貼りつけられており、インクタンク７からゴミやインクの成分の凝集物などがノズル５ａ側に混入することを防止する役目を果たす。インクタンク７は、袋７ａと外筐７ｂとの二重構造になっている。
【００１７】
袋７ａと外筐７ｂとの間には、袋７ａを外側に広げるように働くバネ部材（図示せず）が入っている。これにより、インクには負圧が掛かるようになり、インクがノズル５ａから自然に漏れ出すことを防止することができる。また、この負圧は、ノズル５ａの毛細管力よりは小さくなるよう設定されているため、インクがノズル５ａに引き込まれてしまうことを防止することができる。
【００１８】
そして、ヘッドチップ３上からヘッドフレーム２の外側を通ってインクタンク７の外周面に至る部分には、いわゆるＦＰＣ（フレキシブルプリント基板）でなる電気配線８が貼りつけられている。電気配線８は、ヘッドチップ３に電源や電気信号を供給するものであり、ヘッドチップ３の接続端子３ｂに接続されている。
【００１９】
また、発熱素子３ａは、半導体形成のプロセスで広く使用されているスパッタリング法によりタンタル、タンタルアルミ、窒化チタンなどの抵抗材料を所定の基板上に堆積し、その上層にＡｌ等の電極を形成した後、シリコン窒化膜などの保護層を作製して形成されたものである。インクジェット記録ヘッド１は、この保護層の上層にタンタル膜等による耐キャビテーション層、インク室４ａ、ノズル５ａが形成され、これにより発熱素子３ａの発熱によりインク室４ａのインクを加熱できるように形成される。更にインクジェット記録ヘッド１は、ＭＯＳ（Ｍｅｔａｌ  Ｏｘｉｄｅ  Ｓｅｍｉｃｏｎｄｕｃｔｏｒ）型、バイポーラ型のトランジスタにより発熱素子３ａに電力を供給できるように構成され、さらに所定の駆動回路により駆動してインク液滴を記録媒体に付着できるようになされている。
【００２０】
以上説明した構成を有する本発明のインクジェット記録ヘッド１においては、インクジェットインクがインクジェット記録ヘッドのインク流路内に初期充填されるまでの間、その流路内に、水および１，２−ヘキサンジオールを含有してなるインクジェット記録ヘッド用充填液が充填されている。充填液に１，２−ヘキサンジオールを含有させたインクジェット記録ヘッド用充填液をインクジェット記録ヘッドのインク流路へ充填しておくと、インクジェットインクを初期インク充填動作で印字不良が確実に発生しないように且つインク吐出に影響がでない状態を確保しつつ充填でき、しかも初期インク充填時にインク流路内にインクを完全充填するために流すインクを少量化することができる。
【００２１】
従って、インクジェット記録ヘッド用充填液をインクジェット記録ヘッドに充填しておけば、インクジェット記録ヘッドやそれを備えたインクジェット記録装置の輸送時あるいは保管時に、特別なヘッドキャップやそのほかの流路と大気が連通する部分を塞ぐ必要がなくなる。例えばテープなどをノズル表面に貼り付けるなどの作業が必要なくなる。これにより、テープなどをはずす場合に考えられるノズル面を汚染したり、傷をつけたりすることも防止できる。また、テープというゴミを発生させることもなくなる。
【００２２】
なお、インクジェット記録ヘッドのインク流路とは、記録ヘッドのインクと接触する部分のことであり、インクジェット記録ヘッド内部のインク流路だけでなく、インクジェット記録ヘッドと接続するインク供給管なども含まれる概念である。この場合、インク供給口からノズル開口までのインク流路内に完全に充填液が充填されていることが好ましいが、発明の効果を奏する限り、一部に充填されていない部分があってもよい。
【００２３】
本発明において、インクジェット記録ヘッド用充填液中の１，２−ヘキサンジオールの配合量としては、少なすぎると本発明の効果が得られず、多すぎると配合量に見合う効果が得られないので、好ましくは３〜３０質量％、より好ましくは５〜２０質量％である。このインクジェット記録ヘッド用充填液も本発明の範囲に含まれる。
【００２４】
また、インクジェット記録ヘッドを熱エネルギーを用いてインク液滴を吐出させるインクジェット記録ヘッドとして使用する場合には、コゲーションの発生による吐出寿命の短縮化を抑制するために、インクジェット記録ヘッド用充填液中に、一分子中にアセチレン結合と水酸基とを有するアセチレンアルコールを配合することが好ましい。このようなアセチレンアルコールの構造としては、以下の式（１）が好ましく挙げられる。
【００２５】
【化１】
2004243543.tif 000003
【００２６】
（式（１）中、Ｒ１、Ｒ２及びＲ３は、それぞれ独立的に水素原子、炭素数１〜４のアルキル基（例えば、メチル基、エチル記、プロピル基、イソプロピル基、ブチル基、イソブチル基、ｔ−ブチル基）又はアルコキシ基（例えば、メトキシ基、エトキシ基、イソプロポキシ基、ブトキシ基、イソブトキシ基、ｔ−ブトキシ基）である。）
【００２７】
式（１）のアセチレンアルコールの中でも、Ｒ１がイソプロピル基、Ｒ２がメチル基、そしてＲ３が水素原子である化合物（商標名：サーフィノール６１、エアプロダクト社）やＲ１及びＲ２がメチル基でＲ３が水素原子である化合物（商標名：サーフィノールＰ、エアプロダクト社）を特に好ましく使用することができる。
【００２８】
インクジェット記録ヘッド用充填液中のアセチレンアルコールの配合量としては、少なすぎても多すぎてもゴゲーション発生抑制効果が十分でないので、好ましくは０．０５〜５質量％、より好ましくは０．１〜３質量％である。
【００２９】
インクジェット記録ヘッド用充填液には、１，２−ヘキサンジオールやアセチレンアルコールの他に、保湿のために、多価アルコール、例えばエチレングリコール、ジエチレングリコール、トリエチレングリコール、テトラエチレングリコール、グリセリン、プロピレングリコール、ジプロピレングリコール、ヘキシレングリコール、１，３−プロパンジール、１，５−ペンタンジオールなどを適宜配合することができる。また、トリエタノールアミン等の水溶性有機溶剤なども適宜配合することができる。
【００３０】
更に、インクジェット記録ヘッド用充填液には、必要に応じて粘度調整剤、表面張力調整剤、ｐＨ調整剤の添加剤や防カビ剤、防腐剤などを添加することができる。
【００３１】
本発明のインクジェット記録ヘッドを用いる以外、従来と同様の構成部材を利用することによりサーマル方式のインクジェット記録装置（インクジェットプリンタ）を構成することができる。このようなインクジェット記録装置は、本発明のインクジェット記録ヘッドを使用しているので、インクジェット記録装置の輸送後あるいは保管後に、インクジェット記録ヘッドのインク流路内に、インクジェットインクを初期インク充填動作で確実に印字不良の発生しないように且つインクの吐出へ影響がない状態を確保しつつ充填し、しかも初期インク充填時にインク流路内にインクを完全充填するために流すインクを少量化できる。また、インクジェット記録ヘッド用充填液にアセチレンアルコールを含有させれば、熱エネルギーを用いてインク液滴を吐出させた場合に、インクが加熱されて染料の分解物や不純物などの異物が生じても、発熱素子表面におけるコゲーションの発生、堆積が抑制され、長期に渡り、インクの吐出速度が高く、インク液滴の吐出が良好で、高画質記録が可能となる。
【００３２】
本発明のインクジェット記録ヘッドを使用するサーマル方式のインクジェット記録装置でインクジェット記録は、次のように行われる。即ち、インクは、インクタンク７からインク供給孔２ａに供給され、インク流路４ｂを通ってインク室４ａに供給される。ここで、ノズル５ａは通常、円形状に形成されており、ノズル５ａ先端ではインクの負圧によりインク面の中央部が凹んだ、いわゆるメニスカスが形成される。そして、発熱素子３ａに駆動電圧がかかることにより、発熱素子３ａが発熱して、インクを局所的に加熱する。インクジェット記録ヘッド１では、この加熱により、インク室４ａの発熱素子３ａ側面に核気泡が発生し、この気泡が合体して膜気泡となって成長する。この気泡による圧力の増大により、インクの液滴がノズル５ａから吐出してインクジェット記録紙に飛翔し、付着する。これによりインクジェット記録紙上でインク画像が形成される。
【００３３】
なお、本発明のインクジェット記録ヘッド、インクジェット記録装置及びインクジェット記録ヘッド用充填液は、サーマル方式のインクジェット記録方式だけでなく、圧電素子方式などの他のインクジェット記録方式にも適用できる。
【００３４】
また、本発明のインクジェット記録ヘッドから吐出するインクとしては、従来公知のインクジェットインクを使用することができる。
【００３５】
【実施例】
以下、本発明に関して、実施例を用いてさらに詳細に説明する。
【００３６】
実施例１〜６、比較例１〜６
表１及び表２に示す各成分を攪拌混合し、０．４５μｍのメンブレンフィルターにてろ過し、インクジェット記録ヘッド用充填液を調製した。
【００３７】
【表１】
2004243543.tif 000004
【００３８】
【表２】
2004243543.tif 000005
【００３９】
（評価）
得られたインクジェット記録ヘッド用充填液について、以下に説明する「初期充填性」、「保存性」及び「インク吐出特性」を評価した。得られた結果を表３に示す。
【００４０】
「初期充填性」
サーマル方式のソニー社製ＭＰＲ−５０１に使用されている、各色１２８ノズルであるカラーヘッドのインク流路内に充填液を充填し、その充填後、ノズル前面からポンプでインク流路内の充填液を吸引しながら供給口からインクを送り込んだ。その後、インク流路内の充填液をインクにて置換した後、全ノズルよりインクの吐出を行い、ノズルからインク液滴が吐出しているかどうかの確認を行った。１２８全ノズルより吐出することができた場合、表３中に「○」と記し、不吐出ノズルがあった場合、表３中に「×」と記した。
【００４１】
「保存性」
サーマル方式のソニー社製ＭＰＲ−５０１に使用されている、各色１２８ノズルであるカラーヘッドのインク流路内に充填液を充填し、ノズル面を開放した状態にて、温度４０℃湿度１０％の環境下に放置した。放置１週間後、ノズル前面からポンプでインク流路内の充填液を吸引しながら供給口からインクを送り込んだ。その後、インク流路内の充填液をインクにて置換した後に、全ノズルよりインクの吐出を行い、ノズルよりインク液滴が吐出しているかどうかの確認を行った。１２８全ノズルより吐出することができた場合、表３中に「○」と記し、不吐出ノズルがあった場合、表３中に「×」と記した。
【００４２】
「インク吐出特性」
サーマル方式のソニー社製ＭＰＲ−５０１に使用されている、各色１２８ノズルであるカラーヘッドのインク流路内に充填液を充填し、充填液を充填後、ノズル前面からポンプでインク流路内の充填液を吸引しながら供給口からインクを送り込んだ。その後、速やかにべた画像印画を行い、吐出曲がりにより白スジの有無の確認を目視にて行った。このインク吐出特性試験における吐出曲がりは、充填液の溶剤がノズルの内壁に残存した場合に、その溶媒が残存している側に吐出が曲がる現象を意味する。印画物に白筋が観察されなかった場合、表３中に「○」と記し、印画物に白筋が観察された場合、表３中に「×」と記した。
【００４３】
【表３】
2004243543.tif 000006
【００４４】
表３より明らかなように、１，２−ヘキサンジオールを添加した実施例のインクジェット記録ヘッド用充填液を充填したインクジェット記録ヘッドを備えたインクジェット記録装置は、「初期充填性」、「保存性」及び「インク吐出特性」について、良好な結果を示した。
【００４５】
それに対し、１，２−ヘキサンジオールを含まない比較例のインクジェット記録ヘッド用充填液を充填したインクジェット記録ヘッドを備えたインクジェット記録装置は、全ての評価項目について同時に満足すべき結果を示したものはなかった。
【００４６】
実施例７〜１２
表４に示す各成分を攪拌混合し、０．４５μｍのメンブレンフィルターにてろ過し、インクジェット記録ヘッド用充填液を調製した。
【００４７】
【表４】
2004243543.tif 000007
＊１：  ３−メチル−３−ヒドロキシ−１−ブチン（エアロプロダクト社）
＊２：  ３，４−ジメチル−ヒドロキシ−１−ペンチン（エアロプロダクト社）
【００４８】
（評価）
得られたインクジェット記録ヘッド用充填液について、実施例１で説明したように「初期充填性」、「保存性」及び「インク吐出特性」を評価した。また、更に「耐ゴゲーション性」を以下に説明するように評価した。得られた結果を表５に示す。
【００４９】
「耐ゴゲーション性」
サーマル方式のソニー社製ＭＰＲ−５０１に使用されている、各色１２８ノズルであるカラーヘッドのインク流路内に充填液を充填し、充填液を充填後、ノズル前面からポンプで流路内の充填液を吸引しながら供給口からインク（アッシッドレッド２８９  ４質量％；エチレングリコール  １０質量％；ジエチレングリコール  ５質量％；グリセリン  １０質量％；サーフィノール４６５（エアプロダクト社）  ０．５質量％；水  ７０．５質量％）を送り込んだ。その後、そのインクにて１億パルスの吐出後にべた画像印画を行い、ゴゲーションの生成によるインク移動速度の低下（換言すれば液滴吐出速度の変化）に基づく吐出遅れによる白スジの有無の確認を目視にて行った。印画物に白筋が観察されなかった場合、表５中に「○」と記し、印画物に白筋が観察された場合、表５中に「×」と記した。
【００５０】
【表５】
2004243543.tif 000008
【００５１】
表５からわかるように、１，２−ヘキサンジオールに加えてアセチレンアルコールを添加した実施例のインクジェット記録ヘッド用充填液を充填したインクジェット記録ヘッドを備えたインクジェット記録装置は、「初期充填性」、「保存性」及び「インク吐出特性」のみならず、「耐コゲーション特性」についても良好な結果を示した。
【００５２】
なお、「耐コゲーション特性」の試験後に、インクジェット記録装置のインクジェット記録ヘッド中の発熱抵抗措素子の表面を目視観察したところ、その表面に堆積物は観察されなかった。一方、先の実施例１〜５のインクジェット記録装置のインクジェット記録ヘッド中の発熱抵抗措素子の表面には、実用上問題がない程度のわずかな堆積物が観察された。従って、実施例１〜５のインクジェット記録装置は、サーマル方式のインクジェット記録方式よりも、圧電素子方式などの他のインクジェット記録方式に好ましく適用できる。
【００５３】
【発明の効果】
本発明によれば、インクジェット記録ヘッドのインク流路内に、インクジェットインクを初期インク充填動作で確実に印字不良の発生しないように且つインクの吐出に影響がない状態を確保しつつ充填し、しかも初期インク充填時にインク流路内にインクを完全充填するために流すインクを少量化できる。
【図面の簡単な説明】
【図１】本発明のインクジェット記録ヘッドの一例を示す斜視図である。
【図２】本発明のインクジェット記録ヘッドの部分拡大図である。
【図３】本発明のインクジェット記録ヘッドの部分拡大透視図である。
【符号の説明】
１  インクジェット記録ヘッド、２  ヘッドフレーム、２ａ  インク供給孔、３  ヘッドチップ、３ａ  発熱素子、４  インク室部材、４ａ  インク室、４ｂインク流路、５  ノズルプレート、５ａ  ノズル、６  フィルタ、７  インクタンク、７ａ  袋、７ｂ  外筐、８  電気配線
【図１】
2004243543.tif 000009
【図２】
2004243543.tif 000010
【図３】
2004243543.tif 000011